(57)【要約】【課題】  上位の機器設定データを変更することなく、被制御機器や出力信号を変更設定できる自動番組送出設備、およびその機器割当方法を提供する。【解決手段】  自動番組送出設備は、制御入力部３と自装置に接続される機器６の番組素材信号を入出力する制御を行うＲＴＰ４と、上位から設定された番組時刻表のデータに対応してオンエアされる番組素材信号を出力する機器６の名称とその識別情報が予め書き込まれた機器割当情報テーブル２４を有するＳＣＰ２とを具備し、ＳＣＰ２は、新たにオンエアしたい機器６の識別情報が制御入力部３から入力された場合は前記機器割当情報テーブル２４が記憶する機器６の識別情報を前記入力された識別情報で上書きし、内蔵する時計を参照しつつ前記機器割当情報テーブル２４を照合して読み出した前記識別情報をＲＴＰ３に送信して機器６を割当る。【選択図】  図１
2007013495.tif 000002
【特許請求の範囲】
【請求項１】
上位のデータサーバから入力される番組時刻表のデータに従って、オンエアする番組の番組素材信号を入出力する複数の機器のうち少なくともいずれか１つを割当て、その割当られた機器から番組素材信号をスイッチャを介して送信器へ向けて出力する第１、第２の系統を備える自動番組送出設備において、
前記番組時刻表が規定する時刻タイミングに従って、前記割当られる機器の候補の固有の識別情報を設定する入力手段と、前記設定された固有の識別情報をＳＣＰ（スケジュールコントロール  プロセッサ）へ出力する通信手段とを備える制御入力部と、
前記第１、第２の系統それぞれが
スイッチャと、
自らに接続される前記機器に対して前記割当てと、自らに接続される前記スイッチャに対して前記番組素材信号を出力する前記機器の選定とをリアルタイムで制御するＲＴＰ（リアルタイム  プロセッサ）と、
前記データサーバ、前記制御入力部との間の通信手段と、
時計と、
前記データサーバから入力される番組時刻表のデータに対応して前記オンエアされる前記素材番組信号を出力する代表機器の名称とその名称に対応して前記割当られる前記機器の識別情報が予め書き込まれた機器割当情報テーブルを備え、前記時計を参照しつつ前記機器割当情報テーブルを照合して読み出した前記識別情報から前記ＲＴＰが前記リアルタイムで制御するための制御情報を生成して前記ＲＴＰに出力すると共に、前記制御入力部から新たにオンエアしたい番組素材信号を出力する前記機器の識別情報が入力された場合、前記機器割当情報テーブルを前記入力された識別情報で上書きし、前記時計を参照して新たに前記生成された制御信号を前記ＲＴＰへ出力するＳＣＰ（スケジュールコントロール  プロセッサ）とを
具備することを特徴とする自動番組送出設備。
【請求項２】
前記割当情報テーブルは、
前記オンエアされる番組素材信号を出力する前記機器、またはコンテンツの総称である前記代表機器名と、
前記代表機器名に対応して前記第１、第２の系統で共通に割当られる機器の共有割当機器を示す識別情報と、
前記代表機器名に対応して前記第１、および第２系統毎に独立して割当られる第１、および第２独立割当機器の識別情報と、
前記代表機器名に対応して前記第１、第２の系統の各スイッチャにより選択される前記番組素材信号を出力する前記共有割当機器、または前記第１、前記第２独立割当機器の識別情報との
いずれかを組み合わせが書き込み記憶される
ことを特徴とする請求項１記載の自動番組送出設備。
【請求項３】
前記割当情報テーブルは、
前記代表機器名と、
前記代表機器名に対応して前記第１、第２の系統で共通に割当られる１台の前記機器の共有割当機器を示す識別情報と、
前記第１、第２の系統の各スイッチャにより選択される前記番組素材信号を出力する機器として共に前記共有割当機器の識別情報とが
書き込み記憶された
ことを特徴とする請求項２記載の自動番組送出設備。
【請求項４】
前記割当情報テーブルは、
前記代表機器名と、
前記代表機器名に対応して前記第１、および第２系統毎に独立して割当られるそれぞれ少なくとも１台の第１、および第２独立割当機器の識別情報と、
前記第１、第２の系統の各スイッチャにより選択される前記番組素材信号を出力する機器としてそれぞれ前記第１、第２独立割当機器の識別情報が
書き込み記憶される
ことを特徴とする請求項２記載の自動番組送出設備。
【請求項５】
前記割当情報テーブルは、
前記代表機器名と、
前記代表機器名に対応して前記第１、第２の系統で共通に割当られる複数の前記機器の共有割当機器を示す識別情報と、
前記第１、第２の系統の各スイッチャにより選択される前記番組素材信号を出力する機器として共に前記共有の割当機器のうちいずれか１台の識別情報とが
書き込み記憶される
ことを特徴とする請求項２記載の自動番組送出設備。
【請求項６】
上位のデータサーバから入力される番組時刻表のデータに従って、オンエアする番組の番組素材信号を入出力する複数の機器のうち少なくともいずれか１つをて、その割当られた機器から番組素材信号をスイッチャを介して送信器へ向けて出力する第１、第２の系統を備える自動番組送出設備の機器割当方法において、
前記自動番組送出設備は、
制御入力部と、
前記第１、第２の系統それぞれがスイッチャと、ＲＴＰ（リアルタイム  プロセッサ）と、時計と、ＳＣＰ（スケジュールコントロール  プロセッサ）とを備え、
前記ＳＣＰは、
前記データサーバから入力される番組時刻表のデータに対応して前記オンエアされる前記素材番組信号を出力する代表機器の名称とその名称に対応して前記割当られる前記機器の識別情報が予め書き込まれた機器割当情報テーブルを備え、前記時計を参照しつつ前記機器割当情報テーブルを照合して読み出し、前記読み出した前記識別情報から前記割当と前記スイッチャから前記送信器へ向けて前記オンエアされる前記番組素材信号を出力する前記機器を選択する制御信号を生成して前記ＲＴＰに出力し、
前記ＲＴＰは、
前記入力された制御信号により、自らに接続される前記機器に対して前記割当と、自らに接続される前記スイッチャに対して前記番組素材信号を出力する前記機器の選択とをリアルタイムで制御し、
前記ＳＣＰは、前記制御入力部から通信手段を介して、新たにオンエアしたい前記番組素材信号を出力する前記機器の識別情報が入力された場合、
前記機器割当情報テーブルを前記入力された識別情報で上書きし、前記時計を参照して新たに前記生成された前記制御信号を前記ＲＴＰに出力する
ことを特徴とする自動番組送出設備の機器割当方法。
【請求項７】
前記割当情報テーブルは、
前記オンエアされる番組素材信号を出力する前記機器、またはコンテンツの総称である前記代表機器名と、
前記代表機器名に対応して前記第１、第２の系統で共通に割当られる機器の共有割当機器を示す識別情報と、
前記代表機器名に対応して前記第１、および第２系統毎に独立して割当られる第１、および第２独立割当機器の識別情報と、
前記代表機器名に対応して前記第１、第２の系統の各スイッチャにより選択される前記番組素材信号を出力する前記共有割当機器、または前記第１、前記第２独立割当機器の識別情報との
いずれかを組み合わせが書き込み記憶される
ことを特徴とする請求項６記載の自動番組送出設備の機器割当方法。
【請求項８】
前記割当情報テーブルは、
前記代表機器名と、
前記代表機器名に対応して前記第１、第２の系統で共通に割当られる１台の前記機器の共有割当機器を示す識別情報と、
前記第１、第２の系統の各スイッチャにより選択される前記番組素材信号を出力する機器として共に前記共有割当機器の識別情報とが
書き込み記憶された
ことを特徴とする請求項７記載の自動番組送出設備の機器割当方法。
【請求項９】
前記割当情報テーブルは、
前記代表機器名と、
前記代表機器名に対応して前記第１、および第２系統毎に独立して割当られるそれぞれ少なくとも１台の第１、および第２独立割当機器の識別情報と、
前記第１、第２の系統の各スイッチャにより選択される前記番組素材信号を出力する機器としてそれぞれ前記第１、第２独立割当機器の識別情報が
書き込み記憶される
ことを特徴とする請求項７記載の自動番組送出設備の機器割当方法。
【請求項１０】
前記割当情報テーブルは、
前記代表機器名と、
前記代表機器名に対応して前記第１、第２の系統で共通に割当られる複数の前記機器の共有割当機器を示す識別情報と、
前記第１、第２の系統の各スイッチャにより選択される前記番組素材信号を出力する機器として共に前記共有割当機器のうちいずれか１台の識別情報とが
書き込み記憶される
ことを特徴とする請求項７記載の自動番組送出設備の機器割当方法。
【発明の詳細な説明】
【技術分野】
【０００１】
本発明は、放送局の番組素材信号を自動で送出する自動番組送出設備および機器割当方法に関する。
【背景技術】
【０００２】
放送局では、ニュースや映画、広告などの放送（オンエア）する番組素材信号を送出する機器が複雑に組み合わされて使用される。そのため、上位の制御系で予め作成された番組時刻表に従って制御される自動番組送出設備により番組素材信号等を出力する機器は、例えば、機器番号などの番号で個々に特定して設定され、特定された機器から出力される番組素材信号が送信器へ出力される。
【０００３】
この番組時刻表には、自動番組送出設備の上位に設備されたＤＳ（データサーバ）から番組素材信号源となる機器が設定されている。この様なシステムでは、機器が故障、または保守を行う時、予め設定された機器をＤＳの制御に限定されることなく交換や切換を行うことが容易でない。
【０００４】
そこで、保守、整備等を容易に出来るようにするため、自動番組送出設備に接続されて制御される機器は、機器番号毎に交換可能な状態であるかどうかをテーブルに書き込む。そして、自動番組送出設備は、このテーブルを読み出して交換可能な機器番号をＤＳから設定された機器番号と読み替えることにより代替機として用いることによりＤＳの設定に拘わらず、予備や他系統の機器を使用できるようにした方法がある（例えば、特許文献１。）。
【０００５】
しかし、この様な方法で有ってもデジタル放送のように、取り扱う番組素材信号や情報、機器が複雑に組み合わされるような営業放送システムでは、保守のみならず、平常時に番組素材信号源の機器を速やかに設定変更しなければならない場合に、上位の機器設定データの変更を行わずに容易にオンエアされる番組素材信号を出力する機器の割当が変更出来ない問題があった。
【特許文献１】特開平４−６９６３号公報  （第３頁、第１図）
【発明の開示】
【発明が解決しようとする課題】
【０００６】
取り扱う番組素材信号や情報、機器が複雑に組み合わされる営業放送システムでは、平常時に速やかに機器の設定変更しなければならない場合に上位の機器設定データの変更を行わずに容易に機器の割当が変更出来ない問題があった。
【０００７】
本発明は上記問題を解決するためになされたもので、上位の機器設定データを変更することなく、オンエアされる番組素材信号を出力する機器の割当を変更設定できる自動番組送出設備、およびその機器割当方法を提供することを目的とする。
【課題を解決するための手段】
【０００８】
上記目的を達成するために、本発明の自動番組送出設備は、上位のデータサーバから入力される番組時刻表のデータに従って、オンエアする番組の番組素材信号を入出力する複数の機器のうち少なくともいずれか１つを割当て、その割当られた機器から番組素材信号をスイッチャを介して送信器へ向けて出力する第１、第２の系統を備える自動番組送出設備において、前記番組時刻表が規定する時刻タイミングに従って、前記割当られる機器の候補の固有の識別情報を設定する入力手段と、前記設定された固有の識別情報をＳＣＰ（スケジュールコントロール  プロセッサ）へ出力する通信手段とを備える制御入力部と、前記第１、第２の系統それぞれがスイッチャと、自らに接続される前記機器に対して前記割当と、自らに接続される前記スイッチャに対して前記番組素材信号を出力する前記機器の選定とをリアルタイムで制御するＲＴＰ（リアルタイム  プロセッサ）と、前記データサーバ、前記制御入力部との間の通信手段と、時計と、前記データサーバから入力される番組時刻表のデータに対応して前記オンエアされる前記素材番組信号を出力する代表機器の名称とその名称に対応して前記割当られる前記機器の識別情報が予め書き込まれた機器割当情報テーブルを備え、前記時計を参照しつつ前記機器割当情報テーブルを照合して読み出した前記識別情報から前記ＲＴＰが前記リアルタイムで制御するための制御情報を生成して前記ＲＴＰに出力すると共に、前記制御入力部から新たにオンエアしたい番組素材信号を出力する前記機器の識別情報が入力された場合、前記機器割当情報テーブルを前記入力された識別情報で上書きし、前記時計を参照して新たに前記生成された制御信号を前記ＲＴＰへ出力するＳＣＰ（スケジュールコントロール  プロセッサ）とを具備することを特徴とする。
【０００９】
また、本発明の自動番組送出設備の機器割当方法は、上位のデータサーバから入力される番組時刻表のデータに従って、オンエアする番組の番組素材信号を入出力する複数の機器のうち少なくともいずれか１つを割当て、その割当られた機器から番組素材信号をスイッチャを介して送信器へ向けて出力する第１、第２の系統を備える自動番組送出設備の機器割当方法において、前記自動番組送出設備は、制御入力部と、前記第１、第２の系統それぞれがスイッチャと、ＲＴＰ（リアルタイム  プロセッサ）と、時計と、ＳＣＰ（スケジュールコントロール  プロセッサ）とを備え、前記ＳＣＰは、前記データサーバから入力される番組時刻表のデータに対応して前記オンエアされる前記素材番組信号を出力する代表機器の名称とその名称に対応して前記割当られる前記機器の識別情報が予め書き込まれた機器割当情報テーブルを備え、前記時計を参照しつつ前記機器割当情報テーブルを照合して読み出し、前記読み出した前記識別情報から前記割当と前記スイッチャから前記送信器へ向けて前記オンエアされる前記番組素材信号を出力する前記機器を選択する制御信号を生成して前記ＲＴＰに出力し、前記ＲＴＰは、前記入力された制御信号により、自らに接続される前記機器に対して前記割当と、自らに接続される前記スイッチャに対して前記番組素材信号を出力する前記機器の選択とをリアルタイムで制御し、前記ＳＣＰは、前記制御入力部から通信手段を介して、新たにオンエアしたい前記番組素材信号を出力する前記機器の識別情報が入力された場合、前記機器割当情報テーブルを前記入力された識別情報で上書きし、前記時計を参照して新たに前記生成された前記制御信号を前記ＲＴＰに出力することを特徴とする。
【発明の効果】
【００１０】
本発明によれば、上位の機器設定データを変更することなく、オンエアされる番組素材信号を出力する機器割当の変更設定が可能な自動番組送出設備、およびその機器割当方法を提供できる。
【発明を実施するための最良の形態】
【００１１】
以下、図面を参照して本発明の実施例を説明する。
【実施例】
【００１２】
図１は、本発明の実施例に係る自動番組送出設備（以下、ＡＰＣと称する。）の機能構成およびＡＰＣに接続される装置との構成を示すブロック図である。
【００１３】
図１においてＡＰＣ１は、２つのＳＣＰ（スケジュールコントロール  プロセッサ）２ａ、２ｂ（以下、ＳＣＰ２ａ、２ｂについて共通の説明を行う場合は、ＳＣＰ２と省略して説明する。）、制御入力部３、ＲＴＰ（リアルタイム  プロセッサ）４ａ１〜４ａｎ、４ｂ１〜４ｂｎ（以下、ＲＴＰ４ａ１〜４ａｎ、４ｂ１〜４ｂｎについて共通の説明を行う場合は、ＲＴＰ４と省略して説明する。）、ネットワークＮＡ、ネットワークＮＢ、ネットワークＮＣ、ネットワーク５と、スイッチャ６ａｎ、６ｂｎとを備えている。
【００１４】
ＳＣＰ２、およびＲＴＰ４は、図１においては、ＳＣＰ２ａ、２ｂの様に１系（添字ａ）と２系（添字ｂ）の２つの系統に対応するように設けられ、それぞれの系統のネットワークＮＡ、ＮＢを介して各ＲＴＰ４ａ１〜４ａｎ、４ｂ１〜４ｂｎに接続される。ＲＴＰ４に付いても同様であり、ＲＴＰ４は、更にネットワーク５を介して被制御器６と接続される。
【００１５】
また、ネットワークＮＡ、ＮＢ、ＮＣ、および５は、機器の割当を設定する制御信号等を伝送するものである。そして、例えば、１つの伝送系で信号をマルチプレクスしてあっても、図１におけるようにそれぞれが独立した伝送系で伝送するものであっても良いがここでは説明の利便上、複数のネットワークの携帯である場合を例にしてＡＰＣ１の動作を説明する。
【００１６】
ＡＰＣ１は、ＤＳ（Ｄａｔａ  Ｓｅｒｖｅｒ）７から営業放送の番組時刻表データが入力され、ＳＰＣ２は、ＲＴＰ４を制御して素材番組信号等を出力する被制御器６ａ１〜６ａｍ、６ｂ１〜６ｂｍ（以下、被制御器６ａ１〜６ａｍ、６ｂ１〜６ｂｍについて共通の説明を行う場合は、被制御器６と省略して説明する。）を割当る。そして、スイッチャ６ａｎ、６ｂｎで選択された番組素材信号が送信器にむけて出力される。
【００１７】
番組素材信号は、ネットワーク８により伝送される。また、スイッチャ６ａｎ、６ｂｎは、本来ＲＴＰ４ａｎ、ｂｎに制御される被制御器６の構成の一部でもあるが、他の被制御器６の入出力する番組素材信号を選択するものであるのでＡＰＣ１に付属する構成に含められる。
【００１８】
即ち、図１には図示されないが、スイッチャ６ａｎ、６ｂｎは、番組素材信号が入力されるポートと入力された番組素材信号が選択されて出力される出力ポートを備え、ネットワーク８は、各被制御器６からスイッチャ６ａｎ、６ｂｎへ出力される番組素材信号の伝送ラインと、スイッチャ６ａｎ、６ｂｎから図示されない送信器へ向かう伝送ライン、および各被制御器６ａｍ、６ｂｍへ入力される伝送ライン等とから構成される。
【００１９】
さて、ＳＰＣ２は、時計２６と機器割当情報テーブル２４とを参照してベースバンド系の番組素材信号を入出力する各被制御器６の動作を制御する制御信号を各ＲＴＰ４へ送信することにより、番組時刻表が定めた時刻タイミングで、スイッチャ６ａｎ、６ｂｎを含めて番組素材信号を入出力する各被制御器６を割当て、送信器へ向けて番組選択信号を送信する。
【００２０】
言い換えれば、ＲＴＰ４は、ＳＣＰ２からの制御信号を基にネットワーク８を介して各被制御器６が番組素材信号を入出力することをリアルタイムで制御する。
【００２１】
被制御器６ａ１〜６ａｍ、６ｂ１〜６ｂｍは、それぞれが、例えば、ＶＴＲ、符号化器、復調器などの機器であり、ネットワークＮＡ、またはネットワークＮＢを介して制御信号が入力される。そして、それらの各機器は、その制御信号に従いネットワーク８を介して各被制御器６との間、または送信器へ番組素材信号を入出力する。
【００２２】
ネットワーク８は、高速デジタルバス、または、各機器の間をそれぞれ接続するケーブルによるネットワークのいずれか、またはそれらの組合せから構成されるネットワークである。このネットワーク８では、例えば、番組時刻表によって定められた時刻に、被制御器６ａ１であるＶＴＲから出力される映像信号がネットワーク８とスイッチャ６ａｎを介して被制御器６ａ２の符号化器へ入力され、そこでデジタル化されたデジタル映像信号の出力が再びネットワーク８を介してスイッチャ６ａｎで選択される。そして、デジタル映像信号が更にスイッチャ６ａｎとネットワーク８を介して送信器へ向けて出力される。
【００２３】
以上の説明の様にＤＳ７から出力された番組時刻表データは、ネットワークＮＣを介してＳＣＰ２ａ、２ｂに入力される。また、制御入力部３は、本来、制御卓に備わるもので、ここでは、ネットワークＮＣを介してＳＣＰ２ａ、２ｂが、番組時刻表に対応して素材番組信号を出力する被制御器６を割当る動作を制御するコマンドやデータを入力するものであるため、ＡＰＣ１に固有に備わるものとしている。
【００２４】
ネットワークＮＣ、ＮＡ、ＮＢは、番組時刻表データに係わる機器設定情報、制御信号等をそれぞれ、ＤＳ７とＳＣＰ２、ＳＣＰ２とＲＴＰ４との間で伝送するネットワークである。
【００２５】
ネットワーク５は、各被制御器６のネットワーク８との間の入出力信号を制御信号を伝送するＲＴＰ４と被制御器６との間で伝送するネットワークである。
【００２６】
図２は、図１におけるＳＣＰ２ａ、２ｂ共通の内部構成を示すブロック図である。  
図２において、ＳＣＰ２ａ（ＳＣＰ２ｂも同様）は、それぞれが内部バス等で接続されたＣＰＵ２１、ネットワークＮＣと信号を入出力する通信Ｉ／Ｆ（インタフェース）２２、ネットワークＮＡ（ＳＣＰ２ｂはネットワークＮＢ）と信号を入出力する通信Ｉ／Ｆ（インタフェース）２５、内部の記憶装置に記憶された機器割当情報ファイル２３、ＣＰＵ２１が動作時に使用する動作メモリ上に展開される機器割当情報テーブル２４、時計２６とを備える。この時計２６が出力する時刻情報は、後述の時計３６と同様、放送局全体でオンエアを制御するために使用される時計の間で同期している。
【００２７】
図３は、図１における制御入力部３の内部構成を示すブロック図である。  
図３において、制御入力部３は、それぞれが内部で接続されたコマンドやスイッチ設定を入力するボタン、スイッチ等からなる入力部３１、設定状態をランプ、ディスプレイ等で表示するモニタ表示部３２、入力部３１、モニタ表示部３２の制御、またネットワークＮＣならびにネットワーク５との間でデータや信号の制御を行うＣＰＵ３３と、ＣＰＵが扱うデータをネットワークＮＣ、ネットワーク５との間で入出力するインタフェースを行う通信Ｉ／Ｆ３４、３５、および時計３６とを備える。
【００２８】
ＳＣＰ２は、起動時に機器割当情報ファイル２３を機器割当情報テーブル２４に展開する。機器割当情報ファイル２３は、ＤＳ７から入力されたデータにより番組時刻表に従ってオンエアする番組素材信号を出力する被制御器６を選択する制御の基本情報として記憶されている。また機器割当情報テーブル２４は、制御入力部３から入力される被制御器６の識別情報等の設定情報により変更される。
【００２９】
機器割当情報テーブル２４に記憶されるデータは、必要に応じて制御入力部３等から始めに割り当てられた被制御器（例えば、６ａ１）の設定から被制御器（例えば、６ａ２）へ設定の変更が行われた場合、その新しい被制御器６の識別情報などの機器制御データが記憶される。従って、緊急に被制御器６が故障しても従来の様に上位のデータ変更を行うことなく、所定の予備機材へ変更することが可能であり、番組中、番組時刻表の大きな時間枠設定の中で更に細かな時間単位で自由に中継先や、所要の番組素材信号源を切り換えることが出来る。
【００３０】
ＤＳ７から入力される番組時刻表データに従って設定される被制御器６は、原則として、後述の３つのモードのいずれかに属しており、ＡＰＣ１、即ち、ＳＣＰ２ａ、２ｂは、時計２６とこの機器割当情報テーブル２４とを照合して被制御器６を割当る制御を行う。
【００３１】
図４は、機器割当情報テーブル２４の内容を説明する図である。  
図４においてＡＰＣ１が割当る機器は、後述するように、番組時刻表に設定された番組素材信号を出力する被制御器６を設定するが機器割当情報テーブル２４は、オンエア素材コードと呼ばれる番組素材信号源、またはコンテンツを意味する「代表機器」の名称または略号等が設定され、更にその「代表機器」として実際に動作する「被制御器６ａ１〜６ａｍ、６ｂ１〜６ｂｍ」のいずれか、および、スイッチャ６ａｎ、６ｂｎで選択される番組素材信号に対応する被制御器６とを対応させるテーブルである。
【００３２】
このテーブルでは、各被制御器６の符号が識別番号として、例えば、「６ａ１」の様に書き込まれている。なお、「代表機器」の名称は、例えば、“ＶＴＲ”の様な機材名称であるか、または、“定時ニュース”の様にスタジオカメラが使用機材と１対１で直結するイベントでは機材名称の代わりにコンテンツに関するイベント名が使用されても良い。
【００３３】
図４中の機器の機能割当の欄の説明のように、代表機器は、実際に割当られる各被制御器６の機能的な関係と対応して、共有割当機器、１系独立割当機器、２系独立割当機器、１系制御ＸＰ（クロスポイント）、２系制御ＸＰに各被制御器６のうちのいずれかの識別番号が選択されて割り当てられる。ここで１系、２系制御ＸＰに記載される識別番号は、各系のスイッチャ６ａｎ、６ｂｎのクロスポイント、言い換えるとオンエア時にスイッチャ６ａｎ、６ｂｎで選択される番組素材信号に対応する被制御機器の識別番号である。
【００３４】
この各機器と機能の対応の組み合わせは、以下の３つのモードのいずれかに属するように設定されてテーブル２４に書き込まれている。
【００３５】
図５〜図７は、それぞれ現用系制御指定モード、系独立制御指定モード、並列動作制御指定モードに対応する場合の機器割当情報テーブル２４の例である。  
以下図５〜図７により各モードの設定内容を説明する。
【００３６】
（１）現用系制御指定モード（図５参照）
代表機器「Ｖ１」と被制御器６ａ１を１対１で割当て常に現用系から機器制御を行わせる。例えば「Ｖ１」という代表機器名の割当情報で、被制御器６ａ１〜６ａｎ、６ｂ１〜６ｂｎの内から被制御器６ａ１を「共有割当機器」に設定して、現用系、即ち１系、２系に係わらず制御が可能な様にする。
【００３７】
この場合、１系、２系共に常に被制御器６ａ１が出力する番組素材信号がオンエアされる。従って１系、２系の共通割当機器として被制御器の「６ａ１」が機器割当テーブル２４に書き込み記憶され、１系、２系のスイッチャでも、共に被制御器の「６ａ１」の番組素材信号が選択される様にクロスポイントが制御されるよう書き込み記憶される。
【００３８】
なお、現用系として被制御器の「６ａ１」が共通に割当られることから１系、２系とも独立割当られることはないので１系、２系独立割当機器の欄は「なし」が書き込み記憶される。
【００３９】
（２）系独立制御指定モード（図６参照）
代表機器ＣＭ１に各１系、２系のＳＣＰ２ａ、２ｂそれぞれに独立して被制御機器を割り当てる。例えば、ＣＭ１と言う代表機器名で、１系に割当られる「１系独立割当機器」として、例えば、被制御器６ａ１、また、２系に割当られる「２系独立割当機器」として被制御器６ｂ１を割当する。そして、１系のＳＣＰ２ａはＣＭ１という「代表機器（イベント）」で１系では被制御器６ａ１、２系のＳＣＰ２ｂは被制御器６ｂ１をそれぞれ独立して制御する。従って、１系、２系独立割当機器の欄、および１系、２系制御クロスポイントの各欄には、それぞれ、被制御器６ａ１、被制御器６ａ２が書き込み記憶される。
【００４０】
この場合、（１）とは、反対に「共有割当機器」は存在しないので、当該欄へは「なし」が書き込み記憶される。
【００４１】
（３）並列動作制御指定モード（図７参照）
１つの代表機器名、例えば「ＰＭ」に対して複数、ここでは、被制御器６ａ２、６ｂ２の２つを割り当て、現用系が制御する。この場合は、同時に複数の「共有割当機器」が設定され、現用系統からそれらの複数の共有割当機器からいずれかをオンエアする番組素材信号として選択するかが設定される。
【００４２】
従って「共有割当機器」の欄には、被制御器６ａ２、６ｂ２の２つが書き込み記憶され、「１系、２系制御クロスポイント」の欄には、被制御器６ａ２が書き込み記憶されるか、または、被制御器６ｂ２が書き込み記憶される。
【００４３】
なお、共有割当機器のみならず、１系、および２系独立割当機器には複数の被制御器６が設定されても良い。
【００４４】
図８は、ＡＰＣ１のＳＣＰ２が機器割当を行う動作手順を説明するフローチャートである。  
図８において、ＳＣＰ２は、立ち上げ時にＤＳ７から入力されて記憶している機器割当情報ファイル２３を読み出して機器割当情報テーブル２４にコピーして展開する（ステップｓ１）。ここでは、図６に示される、系独立制御指定モードの機器設定がなされているとする。そして１系が現用系として動作してドラマのような番組素材信号をＶＴＲである被制御器６ａ１から出力してオンエアをしている。スタジオで放送を監視しているオペレータは、状況を監視しており異常、または緊急報道などによる機器切換などの設定変更が必要か否かを監視している。
【００４５】
その時、例えば、地震が発生してニューススタジオから津波の避難情報を放送しなければならなくなったとする（ステップｓ２がＹｅｓ）。そして、オンエアする系統は、現用系、予備系に関わらず、同じ津波避難に関する情報を出力する（３）の並列制御指定モードになるとする。
【００４６】
そしてオペレータは、図３の制御入力部３のボタン（キーボード）等による入力部３１からアナウンサ画面を出力する被制御器６ａ２（以下スタジオカメラと呼ぶ。）と、被災地域の映像を示す被制御器６ｂ２（以下、リモートカメラと呼ぶ。）とを設定する入力を行う（ステップｓ３）。この入力された機器割当データは、ネットワークＮＣを介して、ＳＣＰ２a、２ｂで受信される。
【００４７】
ＳＣＰ２ａ、２ｂはそれぞれ、図２における通信Ｉ／Ｆ２２を介して変更された機器割当データを受信した場合、機器設定変更が必要と判断し（ステップｓ４がＹｅｓ）、ＣＰＵ２１は、その機器割当データを判読して図７のように変更内容を機器割当情報テーブル２４に書き込む（ステップｓ５）。そして、ＣＰＵ２１は、変更された機器割当テーブル２４から読み取り、通信Ｉ／Ｆ２５とネットワークＮＡ、ＮＢを介して機器の制御信号を、例えば、ＲＴＰ４ａ２、ＲＴＰ４ｂ２へ出力する。
【００４８】
ＲＴＰ４ａ２、ＲＴＰ４ｂ２は、更にネットワーク５を介して制御信号をそれぞれスタジオカメラとリモートカメラへ送信することにより制御し、両カメラからの出力信号が、ネットワーク８を介して被制御器６ａｎ、６ｂｎ（ここでは、スイッチャａ、ｎとする。）に出力される。
【００４９】
スイッチャａ、ｎは、別途入力される制御信号により、スタジオカメラ、またはリモートカメラからの映像信号を選択して送信機へ出力する。
【００５０】
また、機器設定変更は、他の各種の被制御器６を選択して設定することも可能である。例えば、図６に設定されている被制御器６ａ１のＶＴＲに障害が発生したとする。その場合、例えば、被制御器６ａ３として予備のＶＴＲを設定して障害対応をしても良い。そして更に、図６の設定状態から、図５のような１台のＶＴＲを現用系及び予備系の両方で入力してオンエアするものであっても良い。
【００５１】
なお、ＣＰＵ２１は、制御入力部３から入力される機器割当データ中の設定される被制御器６の組み合わせに矛盾があれば警報を発生する。例えば、１系独立割当機器が２系独立割当機器にも設定されるような矛盾がある場合、その矛盾があることの警報をネットワークＮＣを介して制御入力部３へ通知し、制御入力部３ではＣＰＵ３１がその警報を受信した場合、表示モニタ部３２からアラームを出力する。
【００５２】
以上説明した如く、本発明によれば、故障、保守等における機器交換のみでなく、オンエアの番組中でも制御指定モード（システムコンフィグレーション）に至るまでのダイナミックな機器設定条件の変更をＤＳ７の様なＡＰＣの上位でデータ修正をせずにＡＰＣを運用する担当部門で行うことができる。
【図面の簡単な説明】
【００５３】
【図１】本発明の実施例に係わるＡＰＣの機能構成およびＡＰＣに接続される装置との構成を示すブロック図
【図２】図１におけるＳＣＰの内部構成を示すブロック図。
【図３】図１における制御入力部の内部構成を示すブロック図。
【図４】機器割当情報テーブルの内容を説明する図。
【図５】現用系制御指定モードに対応する場合の機器割当情報テーブルの例。
【図６】系独立制御指定モードに対応する場合の機器割当情報テーブルの例。
【図７】並列動作制御指定モードに対応する場合の機器割当情報テーブルの例。
【図８】ＳＣＰが機器割当を行う動作手順を説明するフローチャート。
【符号の説明】
【００５４】
１  ＡＰＣ（自動番組送出設備）
２ａ、２ｂ  ＳＣＰ（スケジュールコントロール  プロセッサ）
２１  ＣＰＵ
２２、２５  通信Ｉ／Ｆ（インタフェース）
２３  機器割当情報ファイル
２４  機器割当情報テーブル
３  制御入力部
３１  入力部
３２  表示モニタ部
３３  ＣＰＵ
３４、３５  通信Ｉ／Ｆ
４ａ１〜４ａｎ、４ｂ１〜４ｂｎ  ＲＴＰ（リアルタイム  プロセッサ）
５、８、ＮＡ、ＮＢ、ＮＣ  ネットワーク
６ａ１〜６ａｎ、６ｂ１〜６ｂｎ  被制御機器
７  ＤＳ（データ  サーバ）
【図１】
2007013495.tif 000003
【図２】
2007013495.tif 000004
【図３】
2007013495.tif 000005
【図４】
2007013495.tif 000006
【図５】
2007013495.tif 000007
【図６】
2007013495.tif 000008
【図７】
2007013495.tif 000009
【図８】
2007013495.tif 000010